(57)【要約】【課題】ブラケットに形成した切起しで笠木の裏面を受けさせ、笠木に積雪等の荷重が加わっても笠木の変形による脱落を生じない笠木の取付構造を提供すること。【解決手段】中央の取付部１の両端に係止部２と係止部３を接合してブラケット４を形成し、このブラケット４を取付部１により立上り躯体５の頂部に取り付けて、上記係止部２と係止部３に立上り躯体５の上側に被せ付けた笠木６の係合縁７と係合縁８とを係合させた笠木の取付構造において、上記ブラケット４における中央の取付部１が、内側に上記係止部２と係止部３に付設した接合片９と接合片１０とを嵌着する嵌合溝１１を形成され、両外側には張出縁１６と張出縁１６とを有して、この張出縁１６と張出縁１６に笠木６の裏面を受ける切起し１５を形成されていること。【選択図】図１
2008291635.tif 000002
【特許請求の範囲】
【請求項１】
中央の取付部の両端に係止部を接合してブラケットを形成し、このブラケットを取付部により立上り躯体の頂部に取り付けて、上記係止部に立上り躯体の上側に被せ付けた笠木の係合縁を係合させる笠木の取付構造において、
上記ブラケットにおける中央の取付部が、内側に上記係止部に付設した接合片を嵌着する嵌合溝を形成され、両外側には張出縁を有して、この張出縁に笠木の裏面を受ける切起しを形成されている
ことを特徴とする笠木の取付構造。
【請求項２】
上記中央の取付部が両外側に有する張出縁に、笠木の裏面を受ける切起しを１個又は複数個形成されている
ことを特徴とする請求項１に記載の笠木の取付構造。
【請求項３】
上記中央の取付部が両外側に有する張出縁に、笠木の裏面を受ける切起しを複数個設ける場合、これら切起しの高さを笠木の傾きに合わせて変化させてある
ことを特徴とする請求項１又請求項２のいずれかに記載の笠木の取付構造。
【請求項４】
上記中央の取付部に設けた嵌合溝の壁面と、該嵌合溝に嵌着する接合片の外面に、直交するように凹凸条が形成されている
ことを特徴とする請求項１〜請求項３のいずれかに記載の笠木の取付構造。
【請求項５】
上記中央の取付部に設けた嵌合溝に嵌着する係止部の接合片に、上記取付部にあけた取付孔に対応する切込を形成してある
ことを特徴とする請求項１〜請求項４のいずれかに記載の笠木の取付構造。
【請求項６】
中央の取付部の両端に係止部を接合してブラケットを形成し、このブラケットを取付部により立上り躯体の頂部に取り付けて、上記係止部に立上り躯体の上側に被せ付けた笠木の係合縁を係合させる笠木の取付構造において、
上記ブラケットにおける中央の取付部が、内側に上記係止部に付設した接合片を嵌着する嵌合溝を形成され、両外側には張出縁を有して、この張出縁に一対の取付片で上記嵌合溝の開口部に取り付けられる笠木受板が両端に有する折曲部を支持させた
ことを特徴とする笠木の取付構造。
【請求項７】
上記中央の取付部が両側に有する張出縁の外側にそれぞれ切欠を設け、これら切欠に一対の取付片で上記嵌合溝の開口部に取り付けられる笠木受板が両端に有する折曲部を収まらせた
ことを特徴とする請求項６に記載の笠木の取付構造。
【請求項８】
上記中央の取付部が両側に有する張出縁の上面に、一対の取付片で上記嵌合溝の開口部に取り付けられる笠木受板が両端に有する折曲部の下端を当接させた
ことを特徴とする請求項６に記載の笠木の取付構造。
【発明の詳細な説明】
【技術分野】
【０００１】
本発明は、積雪しても笠木の変形による脱落を起さない笠木の取付構造に関する。
【背景技術】
【０００２】
従来、パラペットに取り付けて笠木を支持させるブラケットが、中央部の固定ホルダと、この固定ホルダの両端に接合して笠木の側板を支持させる左右の係止ホルダとに分割形成されるものは、例えば特許文献１及び特許文献２により知られている。
【特許文献１】実開昭５９−４７０３７号公報
【特許文献２】実開昭６３−１２５４５号公報
【０００３】
しかしながら、上記ブラケットは、中央部の固定ホルダの両端に左右の係止ホルダを接合した構造であるため、中央の固定ホルダの長さを変えるだけで、パラペットの幅の変化に自在に対応できる特徴を有するが、中央の固定ホルダと笠木との間には空間ができて、この空間は笠木に積雪等の荷重が加わると、笠木の中央部をホルダに当たるまで下降させて、笠木を図１５の説明図に示す通りに変形させることになるので、笠木の側板が広がって係止ホルダから外れ、笠木の脱落を起させる問題点があった。
【発明の開示】
【発明が解決しようとする課題】
【０００４】
本発明は前記問題点を解消し、ブラケットに形成した切起し、又はブラケットに取り付けた笠木受板で笠木の裏面を受けさせることで、笠木に積雪等の荷重が加わっても笠木の変形による脱落を生じない笠木の取付構造を提供することが課題である。
【課題を解決するための手段】
【０００５】
上記課題を解決するため、請求項１に係る発明は、中央の取付部の両端に係止部を接合してブラケットを形成し、このブラケットを取付部により立上り躯体の頂部に取り付けて
、上記係止部に立上り躯体の上側に被せ付けた笠木の係合縁を係合させる笠木の取付構造において、上記ブラケットにおける中央の取付部が、内側に上記係止部に付設した接合片を嵌着する嵌合溝を形成され、両外側には張出縁を有して、この張出縁に笠木の裏面を受ける切起しを形成されていることを特徴とする。
【０００６】
請求項２に係る発明は、請求項１において、上記中央の取付部が両外側に有する張出縁に、笠木の裏面を受ける切起しを１個又は複数個設けられていることを特徴とする。
【０００７】
請求項３に係る発明は、請求項１又は２のいずれかにおいて、上記中央の取付部が両外側に有する張出縁に、笠木の裏面を受ける切起しを複数個設ける場合、これら切起しの高さを笠木の傾きに合わせて変化させてあることを特徴とする。
【０００８】
請求項４に係る発明は、請求項１〜３のいずれかにおいて、上記中央の取付部に設けた嵌合溝の壁面と、該嵌合溝に嵌着する接合片の外面に、直交するように凹凸条が形成されていることを特徴とする。
【０００９】
請求項５に係る発明は、請求項１〜４のいずれかにおいて、上記中央の取付部に設けた嵌合溝に嵌着する係止部の接合片に、上記取付部にあけた取付孔に対応する切込を形成してあることを特徴とする。
【００１０】
請求項６に係る発明は、中央の取付部の両端に係止部を接合してブラケットを形成し、このブラケットを取付部により立上り躯体の頂部に取り付けて、上記係止部に立上り躯体の上側に被せ付けた笠木の係合縁を係合させる笠木の取付構造において、上記ブラケットにおける中央の取付部が、内側に上記係止部に付設した接合片を嵌着する嵌合溝を形成され、両外側には張出縁を有して、この張出縁に一対の取付片で上記嵌合溝の開口部に取り付けられる笠木受板が両端に有する折曲部を支持させたことを特徴とする。
【００１１】
請求項７に係る発明は、請求項６において、上記中央の取付部が両側に有する張出縁の外側にそれぞれ切欠を設け、これら切欠に一対の取付片で上記嵌合溝の開口部に取り付けられる笠木受板が両端に有する折曲部を収まらせたことを特徴とする。
【００１２】
請求項８に係る発明は、請求項６において、上記中央の取付部が両側に有する張出縁の上面に、一対の取付片で上記嵌合溝の開口部に取り付けられる笠木受板が両端に有する折曲部の下端を当接させたことを特徴とする。
【発明の効果】
【００１３】
請求項１に係る発明の効果
（１）ブラケットが中央の取付部とその両側に接合される係止部の３部材で構成されるため、中央の取付部の長さを変えるだけで、幅が様々に異なる立上り躯体へ自在に対応するブラケットを得ることがきる。
（２）中央の取付部は立上り躯体の頂部に平行するように取り付ければよいので、確実な取り付けが簡単にできる。
（３）中央の取付部の両外側に張出縁を設け、この張出縁に笠木の裏面を受ける切起しを形成するから、笠木に積雪等の荷重が加わっても、この荷重を切起しが笠木の裏面で受け止めて笠木を変形させないため、変形による笠木の脱落防止に有効であって、しかも、取付部の外側に張出縁を設け、この張出縁に切起しを形成する方法では切起し形成のための材料のコストアップが無い。さらに、切起し上部を面取り状態にしておくと、笠木を傷つけない。
【００１４】
請求項２に係る発明の効果
（１）張出縁に形成して笠木の裏面を受けさせる切起しを中央部に１個形成する場合は、中央の取付部が左右対称形となるため、どちら向きにも組み付けすることができて作業性がよい。
（２）張出縁に形成して笠木の裏面を受けさせる切起しを間隔を置いて複数形成する場合は、積雪等の荷重が複数個所に分散されて笠木の変形防止に一層効果がある。
【００１５】
請求項３に係る発明の効果
張出縁に形成して笠木の裏面を受けさせる複数の切起しの高さを笠木の傾きに合わせて変えると、積雪等の荷重が加わる場合も笠木は排水勾配の付いた原型を保持できる。
【００１６】
請求項４に係る発明の効果
中央の取付部に形成した嵌合溝の壁面に形成される凹凸と、係止部に付設した接合片の外面に形成される凹凸が直交するため、接合片を嵌合溝へ嵌合して嵌合部のかしめを行うと、両方の凹凸の効果により強固に接合を行い、嵌合のずれや外れを生じさせることがない。
【００１７】
請求項５に係る発明の効果
取付部の嵌合溝に嵌合した係止部の接合片に、取付部にあけた取付孔に対応する切込を形成しておくと、取付孔を切込に達するまで拡大してこの部分での取り付けも可能とすることで、取り付けの多様化が図れる。
【００１８】
請求項６に係る発明の効果
取付部の長さを変えると、厚さが異なる多種類の立上り躯体に対応することができて、躯体への確実な取り付けが容易にできるブラケットに、別体に形成した笠木受板を中央の下部に設けた一対の取付片で取付部に設けた嵌合溝の開口部に取り付け、この笠木受板の両端に設けた折曲部を取付部が両側に有する張出縁に支持させるから、この状態で笠木受板に笠木を被せ付ければ、笠木受板は笠木の裏面に面接触して、接触面に積雪等で負荷される荷重を分散させることにより、単位面積当りの負荷を低減させて笠木の変形防止の機能を高め得る。
【００１９】
請求項７に係る発明の効果
笠木受板を中間の下部に設けた一対の取付片で取付部における嵌合溝の開口部に取り付けるとき、取付部の両側に設けた張出縁に形成した切欠へ笠木受板の両端に設けられる折曲部を収まらせれば、笠木受板を定位置に正しく取り付けることができて、取付後の位置ずれも防止される。
【００２０】
請求項８に係る発明の効果
笠木受板が中間の下部に嵌合溝の開口部に取り付ける一対の取付片を備え、両端には下端を張出縁の上面に当接する折曲部を備えるため、笠木受板は中央部と両端でブラケットに支持させて、積雪等で大きな荷重が負荷される場合も原型を保持させるから、笠木の変形を防止するのに有効である。
【発明を実施するための最良の形態】
【００２１】
以下に本発明に係る笠木の取付構造の実施形態を図面に基づいて説明する。
図１〜図４は請求項１に係る笠木の取付構造を示す。この取付構造は、中央の取付部１の両端へ係止部２と係止部３を接合してブラケット４を形成し、このブラケット４を取付部１により立上り躯体５の頂部に取り付けて、上記係止部２と係止部３に立上り躯体５の頂部に被せ付けた笠木６の両側に設けた係合縁７と係合縁８を係合させることで、笠木６を立上り躯体５の頂部に取り付けたものである。
【００２２】
上記中央の取付部１は、その両端に係止部２と係止部３を接合してブラケット４を形成するため、図２及び図３に示す通り、断面が長方形状であって、内部に係止部２及び係止部３に付設した接合片９と接合片１０を嵌着する嵌合溝１１を有し、この嵌合溝１１は上方への開口部１２を有し、しかも、溝底１３の両側には嵌合溝１１と平行する複数の凹凸条１４を形成され、更に、取付部1の両外側には笠木６の裏面を受ける切起し１５を形成するための張出縁１６を有するようにアルミニウム合金を押出成形して形成する。そして、成形品を必要な寸法に切断した後、溝底１３の中心部の両端側には、図１に示すねじ１７によって取り付けを行う軸方向に長い２つの取付孔１８を離隔して形成する加工と、上記一対の張出縁１６の長さ方向の中央付近に１個ずつ切起し１５を形成する加工とを行なうだけであるから、切起し１５を備えない従来の取付部1と比べても僅差の価格で製作することができる。
【００２３】
上記中央の取付部１の両端に接合する係止部２と係止部３は、笠木６の係合縁７と係合縁８を被せ付け易くするため先開きの傾斜を有して、各々の上端にはクッション材１９を介して笠木６の端部を受ける受部２０及び受部２１を笠木６の傾きに応じた高低差で備え、内側の下端から等距離の位置にそれぞれ上記嵌合溝１１に嵌合する接合片９と接合片１０とを有し、これら接合片９と接合片１０の表面には、上記取付部の嵌合溝１１に形成した凹凸条１４と直交するように凹凸条２２が形成されるようにアルミニウム合金を押出成形して形成する。そして、成形品を必要な寸法に切断した後、接合片９及び接合片１０に取付部１にあけた取付孔１８に対応する切込２３と切込２４を形成する加工を行うようにするか、あるいは、成形金型を利用することによって寸法切断と、切込みの形成を要しないように加工してもよい。
【００２４】
上記立上り躯体５は、建物の屋上や廊下などに設けられるパラペットやこれに類した部材であって、コンクリート、金属、木材、その他の材料で形成して、頂部及び側面には防水層２５を施し、必要に応じて化粧層（図面省略）をも施すようにする。
【００２５】
上記笠木６は、立上り躯体５の頂部に排水勾配を有するように設置するから、笠木６の両側下部に係合縁７と係合縁８が垂設され、係合縁７と係合縁８の下端には上記係止部２及び係止部３の下端へ係合する鉤部２６と鉤部２７が存在するようにアルミニウム合金を押出成形して形成するか、鋼材のプレス加工によって形成する。
【００２６】
上記実施形態に示す笠木の取付構造は、ブラケット４が図２に示す通り中央の取付部１と、両側の係止部２及び係止部３とに分割形成されるため、中央の取付部１に設けた嵌合溝１１に一方から係止部２に設けた接合片９を嵌合し、他方から係止部３に設けた接合片１０を嵌合すれば、取付部１と係止部２及び係止部３は図３に示す通り接合一体化されるので、この状態において取付部１と係止部２及び係止部３が重合する部分に図３に示す通りかしめ２９を施す。すると、嵌合溝１１の壁に嵌合溝１１と平行状に設けた凹凸条１４と、接合片９及び接合片１０の表面に嵌合溝１１と直交するように設けた凹凸条２２が一体と同様のブラケット４を構成するので、このブラケット４の取付部１を、図４に示す通りの間隔で立上り躯体５の頂部へ乗せ、取付孔１８にねじ１７を通して図１に示す通り立上り躯体５へ締め付ければ、ブラケット４が立上り躯体５に固定される。そこで、ブラケット４に笠木６を被せ付けて、係合縁７の下端に設けた鉤部２６を係止部２の下端に係合させ、係合縁８の下端に設けた鉤部２７を係止部３の下端に係合させれば、笠木６はブラケット４に支持されて安定し、しかも、中央の取付部１は外側の張出縁１６には切起し１５を形成されて、この切起し１５で笠木６の裏面を受けるから、笠木６に図１に鎖線で示すように積雪２８があり、その荷重が笠木6に加わっても、笠木６の中央部が降下する変形を起さないため、笠木６は原型を保持して変形による脱落を生ずることはない。
【００２７】
又、上記笠木の取付構造は、図５〜図７に示す通り、ブラケット４の中央の取付部１から両側へ突出する張出縁１６及び張出縁１６に、それぞれ笠木６の裏面を受ける切起し１５を複数個ずつ設けることで笠木６を支持する箇所を増加させることができるものであって、この実施形態は切起し１５の数が相違する以外、図１〜図4に示す実施形態と構造は同一であるので、構造の同一部分については同一の符号を付して説明を省略し、異なる構造の部分のみについて以下に説明を行う。
【００２８】
この実施形態に用いるブラケット４における中央の取付部１は、両外側に有する張出縁１６及び張出縁１６に笠木６の裏面を受ける切起し１５を３個ずつ設けたものであって、これら３個の切起し１５は、笠木６と取付部１との間隔が笠木に付けられた排水勾配のため位置によって相違するので、この間隔の相違に合わせて切起し１５の高さを変化させることで、何れの切起し１５も笠木６の裏面へ当接して、笠木６の裏面を３箇所において受け止めるようにしてある。
【００２９】
上記構成の笠木の取付構造は、図６、図７に示す通り３つに分割形成されている中央の取付部１と、両側の係止部２と係止部３を、嵌合溝１１へ両側から接合片９及び接合片１０を嵌着して図７の通りに接合し、取付部１と接合片９及び接合片１０が重合する部分にかしめ２９を施すと一体と同様のブラケット４が構成されるので、このブラケット４を取付部１により立上り躯体５へ取り付けて、係止部２及び係止部３に笠木６の係合縁７及び係合縁８を係合させれば、笠木６はブラケット４に支持されて立上り躯体５の頂部に安定し、図５に鎖線で示すように積雪２８の荷重が加わるときは、３個の切起し１５が３箇所で笠木６の裏面を受け止めて荷重による笠木６の降下を阻止するので、笠木６は原型を保持して係合縁７及び係合縁８を係止部２及び係止部３から外れさせないため、笠木６の変形による脱落は確実に防止されるものである。
【００３０】
次に、請求項６に係る笠木の取付構造は、図８〜図１４に示す通り、笠木６の裏面をブラケット４を構成する中央の取付部１とは別体に形成した笠木受板３０に支持させる構造において、中央の取付部１が両側に有する張出縁１６及び張出縁１６に切起し１５及び切起し１５を設けて、これら切起し１５及び切起し１５で笠木６の裏面を支持させた請求項１に係る取付構造とは相違する。しかし、ブラケット４の構造は、中央の取付部１が両側に有する張出縁１６及び張出縁１６に切起し１５及び切起し１５を形成しない以外は、図１〜図４の示す実施形態と同一であるので、構造の同一部分については同一の符号を付して説明を省略し、異なる構造の部分のみについて以下に説明を行う。
【００３１】
上記笠木受板３０は、図１０、図１１に示す通り笠木６の裏面に当接する狭い板状に形成して、その両端に下方への折曲部３１及び折曲部３１を形成し、中央部の下側には取付部１に形成される嵌合溝１１の開口部１２及び開口部１２に対応する取付片３２及び取付片３２を設けて、これら取付片３２及び取付片３２の下部には、上記開口部１２及び開口縁１２への止着手段３３及び止着手段３３を有するようにアルミニウム合金を押出成形して形成する。
【００３２】
上記止着手段３３及び止着手段３３は、先端ほど内側に向うように傾く斜面ａと、この斜面ａの後側に位置する段落部ｂとを有する逆止爪３４と、段落部ｂの上側にこの段落部ｂとで嵌合溝１１の開口部１２を挟む間隔で設けた制止片３５とで構成し、止着手段３３及び止着手段３３を嵌合溝１１の開口部１２と開口部１２との間へ押し込むと、上記逆止爪３４と制止片３５とで開口部１２の挟持が行われるため、笠木受板３０の離脱しない取り付けが簡単に行なえる。
【００３３】
図９〜図１１において符号３６は、中央の取付部１が両側に有する張出縁１６及び張出縁１６に設けた切欠を示す。この切欠３６及び切欠３６は、一般的には中央の取付部１の長さ方向の中央に上記笠木受板３０の折曲部３１及び折曲部３１が収まる位置と幅で形成して置き、笠木受板３０を取付片３２及び取付片３２で嵌合溝１１の開口部１２及び開口部１２に取り付けるとき、両端の折曲部３１及び折曲部３１が切欠３６及び切欠３６に収まるようにして、笠木受板３０が定位置に正しく取り付けられて位置ずれを起こさないようにしてある。
【００３４】
上記構成の笠木の取付構造は、図９に示す通り中央の取付部１と、両側の係止部２と係止部３とを、嵌合溝１１に両側から接合片９及び接合片１０を嵌着することで結合してブラケット４を構成し、このブラケット４における中央の取付部１を、図１０、図１１に示す通り立上り躯体５に取り付けて、嵌合溝１１の開口部１２及び開口部１２の間に、笠木受板３０に設けた一対の取付片３２及び取付片３２が下部に有する止着手段３３及び止着手段３３を押し込めば、止着手段３３及び止着手段３３が図１１に示す通り逆止爪３４と制止片３５とで開口部１２を挟持して笠木受板３０を取付部１に固定するとともに、笠木受板３０の両端に設けられる折曲部３１及び折曲部３１は、張出縁１６及び張出縁１６に設けられた切欠３６及び切欠３６に収まって、笠木受板３０を正しい位置に位置ずれを生じないように取り付けられるようにする。また、板状の笠木受板３０は図１１に示す通り笠木６の裏面へ面接触して、積雪等の荷重を分散させるため笠木６が局所への集中荷重を受けて変形を起こすことが防止される。
【００３５】
図１２〜図１４は、上記取付構造では笠木受板３０の両端に形成される折曲部３１及び折曲部３１を、張出縁１６及び張出縁１６に設けた切欠３６及び切欠３６に収まらせたのに対し、張出縁１６及び張出縁１６を切欠３６及び切欠３６を有しない形状にするとともに、笠木受板３０の両端に設けた折曲部３１及び折曲部３１を、笠木受板３０を取付片３２及び取付片３２で取付部１に取り付けたとき、その下端が張出縁１６及び張出縁１６の上面へ当接する長さに形成したものである。
【００３６】
この取付構造は、図１３、図１４に示す通り、ブラケット４における中央の取付部１を立上り躯体５へ取り付けて、嵌合溝１１の開口部１２及び開口部１２の間に同図に示す通り、笠木受板３０に取り付けられる一対の取付片３２及び取付片３２が下部に有する止着手段３３及び止着手段３３のを押し込めば、上記逆止爪３４と制止片３５とによる開口部１２及び開口部１２の挟持が行われるため、笠木受板３０は図１４に示す通り取付部１に固定されて、笠木受板３０の両端に設けられる折曲部３１及び折曲部３１の下端を、張出縁１６及び張出縁１６の上面に当接させるので、笠木受板３０は中間部及び両端部をブラケットに支持されて安定し、積雪等で大きな荷重を受ける場合でも反り等の変形を生ずることがない。
【産業上の利用可能性】
【００３７】
笠木に積雪しても変形による離脱を起さない笠木の取付構造を市場性ある価格で提供することを可能とする。
【図面の簡単な説明】
【００３８】
【図１】請求項１に係る笠木の取付構造の実施形態によって笠木を取り付けた断面図
【図２】同上取付構造に用いたブラケットの分解斜視図
【図３】同上ブラケットの組み立て斜視図
【図４】同上ブラケットの立上り躯体への取付例を示す一部分の平面図
【図５】請求項１に係る笠木の取付構造の変形例で笠木を取り付けた断面図
【図６】同上取付構造に用いたブラケットの分解斜視図
【図７】同上ブラケットの組み立て斜視図
【図８】請求項６に係る笠木の取付構造の実施形態によって笠木を取り付けた断面図
【図９】同上取付構造に用いたブラケットと笠木受板の斜視図
【図１０】同上ブラケットへ笠木受板を取り付ける説明図
【図１１】同上ブラケットへ笠木受板を取り付けた説明図
【図１２】同上取付構造に用いたブラケットと笠木受板の変形例を示す斜視図
【図１３】同上ブラケットへ笠木受板を取り付ける説明図
【図１４】同上ブラケットへ笠木受板を取り付けた説明図
【図１５】従来の笠木取付構造で取り付けた笠木が積雪の荷重で変形し脱落を起す状態となった説明図
【符号の説明】
【００３９】
１  取付部
２  係止部
３  係止部
４  ブラケット
５  立上り躯体
６  笠木
７  係合縁
８  係合縁
９  接合片
１０  接合片
１１  嵌合溝
【図１】
2008291635.tif 000003
【図２】
2008291635.tif 000004
【図３】
2008291635.tif 000005
【図４】
2008291635.tif 000006
【図５】
2008291635.tif 000007
【図６】
2008291635.tif 000008
【図７】
2008291635.tif 000009
【図８】
2008291635.tif 000010
【図９】
2008291635.tif 000011
【図１０】
2008291635.tif 000012
【図１１】
2008291635.tif 000013
【図１２】
2008291635.tif 000014
【図１３】
2008291635.tif 000015
【図１４】
2008291635.tif 000016
【図１５】
2008291635.tif 000017